(57)【要約】【課題】駆動液ポンプの使用状態に関わらず、常に駆動液ポンプ側に駆動液を供給することができること。【解決手段】駆動液５０を吸引して吐出するポンプ部２７に着脱自在でポンプ部２７に供給する駆動液５０を蓄える駆動液リザーバ１２であって、ポンプ部２７に向けて駆動液５０を供給する液体供給口１２ｄから駆動液リザーバ１２内壁に沿って延在し駆動液リザーバ１２に蓄えられる駆動液５０を吸液する吸液部材５１を備え、吸液部材５１を介して駆動液５０をポンプ部２７に供給する。【選択図】        図５
2009273514.tif 000002
【特許請求の範囲】
【請求項１】
駆動液あるいは薬液である液体を吸引して吐出するポンプに着脱自在で該ポンプに供給する前記液体を蓄える容器である液体リザーバであって、
前記ポンプに向けて前記液体を供給する液体供給口から当該液体リザーバ内壁に沿って延在し当該液体リザーバに蓄えられる液体を吸液する吸液部材を備え、該吸液部材を介して前記液体を前記ポンプに供給することを特徴とする液体リザーバ。
【請求項２】
当該液体リザーバは、筒状の筐体をなし、前記吸液部材は、少なくとも前記液体供給口および一部の内壁側面を覆うことを特徴とする請求項１に記載の液体リザーバ。
【請求項３】
当該液体リザーバ内壁断面が多角形状である筒状の筐体をなし、前記吸液部材は、少なくとも前記液体供給口、および１つの側壁面に隣接する両側の側壁面を覆うことを特徴とする請求項１または２に記載の液体リザーバ。
【請求項４】
当該液体リザーバ内壁断面が多角形状である筒状の筐体をなし、前記吸液部材は、少なくとも前記液体供給口、および側壁面間の角部を覆うことを特徴とする請求項１または２に記載の液体リザーバ。
【請求項５】
前記吸液部材が覆われない内壁面は、平面、あるいは内側に凸となり前記吸液部材側に向かって低くなる曲面または錐体表面であることを特徴とする請求項１〜４のいずれか一つに記載の液体リザーバ。
【請求項６】
前記液体供給口に対向する内壁面は、平面、あるいは内側に凸となり前記吸液部材側に向かって低くなる曲面または錐体表面であることを特徴とする請求項１〜５のいずれか一つに記載の液体リザーバ。
【請求項７】
前記曲面または錐体表面は、疎液性であることを特徴とする請求項５または６に記載の液体リザーバ。
【請求項８】
前記吸液部材は、シート状部材であり、当該液体リザーバ内壁面に取り付けられることを特徴とする請求項１〜７のいずれか一つに記載の液体リザーバ。
【請求項９】
前記吸液部材のシート状部材は、１枚のシート状部材のみで構成されていることを特徴とする請求項８に記載の液体リザーバ。
【請求項１０】
前記吸液部材は、前記液体供給口側に向かって逐次密度が高く形成され、逐次前記液体の伝達性を高くしたことを特徴とする請求項１〜９のいずれか一つに記載の液体リザーバ。
【請求項１１】
前記液体供給口の吸液部材は、内側表面から出口側に向かって逐次密度が高く形成され、逐次前記液体の伝達性を高くしたことを特徴とする請求項１〜１０のいずれか一つに記載の液体リザーバ。
【請求項１２】
前記液体供給口の吸液部材は、弾性部材であることを特徴とする請求項１〜１１のいずれか一つに記載の液体リザーバ。
【請求項１３】
前記液体供給口の吸液部材の外表面は、外側に向かって凸形状であることを特徴とする請求項１〜１１のいずれか一つに記載の液体リザーバ。
【発明の詳細な説明】
【技術分野】
【０００１】
この発明は、駆動液あるいは薬液である液体を吸引して吐出するポンプに着脱自在で該ポンプに供給する前記液体を蓄える液体リザーバに関するものである。
【背景技術】
【０００２】
従来、浸透圧ポンプ（非特許文献１参照）を用いて、１０ｍｌ程度の微量の薬液を、たとえば１週間程度の比較的長い所定時間をかけて連続的に投与することが行われていた。
【０００３】
また、上述した微量の薬液を供給する場合、電気浸透流ポンプが用いられる（特許文献１参照）。この電気浸透流ポンプは、電気浸透材（多孔質体）の細孔内の表面がマイナスに帯電し、表面近傍では、プラスイオンが過剰になり、外部から加えられた電界によりプラスイオンが力を受けて移動し、駆動液に流れを生じさせることによって、駆動液を吐出するものである。このため、電気浸透流ポンプは、電界の強度を変化させることによって、駆動液の吐出量を変化させることができる。
【０００４】
【非特許文献１】Theewes F and Yum SI.Principles of the operation of genericosmotic pump for the delivery of semisolid or liquid drug formulations.Ann Biomed Eng 1976,4(4):343-353
【特許文献１】特開２００６−３１１７９６号公報
【発明の開示】
【発明が解決しようとする課題】
【０００５】
ところで、上述した電気浸透流ポンプは、駆動液を蓄える駆動液リザーバに接続され、この駆動液リザーバから供給される駆動液を吸引・吐出するものである。ここで、駆動液リザーバから駆動液を吸引する吸引口が鉛直上部側に位置した場合などのように、吸引口と駆動液とが接しない状態になると、電気浸透流ポンプは、駆動液を吐出することができないという問題点があった。換言すれば、電気浸透流ポンプを用いる場合、駆動液リザーバの配置状態を考えて、吸引口と駆動液とが常に接触する状態となるようにして、駆動液がポンプ側に供給される状態で使用しなければならず、電気浸透流ポンプの使用状態が制限されるという問題点があった。
【０００６】
この発明は、上記に鑑みてなされたものであって、ポンプの使用状態に関わらず、常にポンプ側に駆動液あるいは薬液である液体を供給することができる液体リザーバを提供することを目的とする。
【課題を解決するための手段】
【０００７】
上述した課題を解決し、目的を達成するために、この発明にかかる液体リザーバは、駆動液あるいは薬液である液体を吸引して吐出するポンプに着脱自在で該ポンプに供給する前記液体を蓄える容器である液体リザーバであって、前記ポンプに向けて前記液体を供給する液体供給口から当該液体リザーバ内壁に沿って延在し当該液体リザーバに蓄えられる液体を吸液する吸液部材を備え、該吸液部材を介して前記液体を前記ポンプに供給することを特徴とする。ここで、上記液体供給口は必ずしも上記吸液部材によって全面的に覆われる必要はない。
【０００８】
このようにすれば、上記吸液部材が上記液体を上記液体供給口に導くので、液体リザーバの姿勢が変化しても、安定的に上記液体を上記液体供給口に供給できる。なお、液体リザーバは壁面を有して内部に液体を保持できる容器であるが、硬質の容器でもよいし、軟性の容器でもよい。
【０００９】
また、この発明にかかる液体リザーバは、上記の発明において、当該液体リザーバは、筒状の筐体をなし、前記吸液部材は、少なくとも前記液体供給口および一部の内壁側面を覆うことを特徴とする。
【００１０】
また、この発明にかかる液体リザーバは、上記の発明において、当該液体リザーバ内壁断面が多角形状である筒状の筐体をなし、前記吸液部材は、少なくとも前記液体供給口、および１つの側壁面に隣接する両側の側壁面を覆うことを特徴とする。
【００１１】
また、この発明にかかる液体リザーバは、上記の発明において、当該液体リザーバ内壁断面が多角形状である筒状の筐体をなし、前記吸液部材は、少なくとも前記液体供給口、および側壁面間の角部を覆うことを特徴とする。
【００１２】
また、この発明にかかる液体リザーバは、上記の発明において、前記吸液部材が覆われない内壁面は、平面、あるいは内側に凸となり前記吸液部材側に向かって低くなる曲面または錐体表面であることを特徴とする。
【００１３】
また、この発明にかかる液体リザーバは、上記の発明において、前記液体供給口に対向する内壁面は、平面、あるいは内側に凸となり前記吸液部材側に向かって低くなる曲面または錐体表面であることを特徴とする。
【００１４】
また、この発明にかかる液体リザーバは、上記の発明において、前記曲面または錐体表面は、疎液性であることを特徴とする。
【００１５】
また、この発明にかかる液体リザーバは、上記の発明において、前記吸液部材は、シート状部材であり、当該液体リザーバ内壁面に取り付けられることを特徴とする。
【００１６】
また、この発明にかかる液体リザーバにおいて、上記シート状部材は１枚のシート状部材で構成されていることを特徴とする。
【００１７】
また、この発明にかかる液体リザーバは、上記の発明において、前記吸液部材は、前記液体供給口側に向かって逐次密度が高く形成され、逐次前記液体の伝達性を高くしたことを特徴とする。
【００１８】
また、この発明にかかる液体リザーバは、上記の発明において、前記液体供給口の吸液部材は、内側表面から出口側に向かって逐次密度が高く形成され、逐次前記液体の伝達性を高くしたことを特徴とする。
【００１９】
また、この発明にかかる液体リザーバは、上記の発明において、前記液体供給口の吸液部材は、弾性部材であることを特徴とする。
【００２０】
また、この発明にかかる液体リザーバは、上記の発明において、前記液体供給口の吸液部材の外表面は、外側に向かって凸形状であることを特徴とする。
【発明の効果】
【００２１】
この発明によれば、ポンプが液体を吸引する液体供給口から当該液体リザーバ内壁に沿って延在し当該液体リザーバに蓄えられる液体を吸液する吸液部材を備え、該吸液部材を介して前記液体が液体供給口に供給されるようにしているので、液体リザーバの姿勢が傾いても、ポンプ側に液体を供給することができる。
【発明を実施するための最良の形態】
【００２２】
以下、図面を参照して、この発明にかかる液体リザーバの好適な実施の形態を詳細に説明する。なお、この実施の形態によってこの発明が限定されるものではない。
【００２３】
（実施の形態）
図１は、この発明の実施の形態にかかる薬液リザーバを有した薬液投与装置が人体などの生体に適用された状態を示す図である。図１において、この薬液投与装置１は、先端部分が癌などの患部である処置対象２に対して薬液を導くカニューラ本体が生体３内に埋め込まれ、生体３の体表面Ｓ上にその基部が配置されるカニューラ１ｂと、カニューラ１ｂの基部２５に対して着脱可能であってカニューラ１ｂに薬液を送出する薬液部１ａとを有する。この薬液投与装置１は、生体３内の癌などの処置対象２に対して、数十ｍｌ程度の薬液、たとえばフルオロウラシル（５−ＦＵ）などの抗癌剤を、１週間程度の長期間にわたり連続的かつ集中的に吐出して投与するものである。
【００２４】
図２は、図１に示した薬液投与装置１の分解斜視図である。また、図３は、図１に示した薬液投与装置１の断面図である。さらに、図４は、図１に示した薬液投与装置１の分解断面図である。図２〜図４において、薬液投与装置１は、上述したように、大きくは薬液部１ａとカニューラ１ｂとからなる。薬液部１ａは、コイル状のパイプが二重に密に巻き付けられ、このパイプの中に薬液を溜めた円筒状の薬液リザーバ１０と、この円筒状の薬液リザーバ１０の内部空間に設けられ、略円筒状の筐体に覆われ、少なくとも、薬液を押し出す駆動液を溜めた液体リザーバとしての駆動液リザーバ１２を有する駆動液部１１と、薬液リザーバ１０の内部空間であって駆動液部１１に隣接して配置され、少なくとも、薬液を押し出すための駆動液を押し出す電気浸透流ポンプ１２によって実現されるポンプ部２７を有し、略円筒状の筐体に覆われた駆動部２０と、を有する。
【００２５】
駆動液部１１、駆動部２０および基部２５は、それぞれ略円柱状をなし、薬液リザーバ１０が形成する円柱状の内部空間の軸方向でカニューラ１ｂ側に向かって順次組み付けられる。なお、駆動液部１１と薬液リザーバ１０とは、薬液駆動部４１として一体形成され、薬液駆動部４１は、駆動部２０に対して着脱可能である。
【００２６】
駆動液部１１内の駆動液リザーバ１２は、駆動部２０の略中央に設けられた駆動液取水部２２によって駆動部２０のポンプ部２７に組み立て時に結合される。駆動部２０内のポンプ部２７の出力側は、駆動部２０内の流路Ｆ２１および駆動液排出部２１、ならびに駆動液部１１内の流路Ｆ１１を介して薬液リザーバ１０の入力側に接続される。薬液リザーバ１０のパイプは、図３上、上部左の上部外側→下部外側→下部内側→上部右の上部内側に繋がっており、駆動液が、駆動部２０の流路Ｆ２１、駆動部２０内の駆動液排出部２１、駆動液部１１の流路Ｆ１１を介して薬液リザーバ１０に吐出されることによって、薬液リザーバ１０内の薬液が、駆動液部１１の流路Ｆ１２、駆動部２０内の薬液連結部４３、ならびに基部２５に設けられた薬液受入部２３ａを介してカニューラ１ｂに送出される。この薬液受入部２３ａには、薬液駆動部４１を取り外したときに、体内側の圧が高いために生体３側からの薬液が逆流するのを防止する逆止弁として機能する一方向弁２３を設けている。
【００２７】
駆動部２０内には、ポンプ部２７を駆動制御するポンプ駆動部２６を有する。また、駆動液部１１の上部には、バッテリ１３を有する。駆動部２０と駆動液部１１との接合面には、電極２４が設けられ、バッテリ１３が供給するエネルギーは、少なくとも電極２４を介してポンプ駆動部２６に供給される。
【００２８】
駆動液リザーバ１２と薬液リザーバ１０との間には、上述したように、薬液を押し出すための駆動液を押し出す電気浸透流ポンプによって実現されるポンプ部２７を有する。電気浸透流ポンプの動作原理は、上述したように、電気浸透材（多孔質体）の細孔内の表面がマイナスに帯電し、表面近傍では、プラスイオンが過剰になり、外部から加えられた電界によりプラスイオンが力を受けて移動し、駆動液に流れを生じさせることによって、駆動液を吐出する。したがって、電界の強度を変化させることによって、駆動液の吐出量を変化させることができる。なお、駆動液は、電解質溶液であればよく、超純水等を用いることが望ましい。
【００２９】
ポンプ部２７は、駆動液リザーバ１２から駆動液を取得し、この駆動液を薬液リザーバ１０内に押し出すことによって薬液リザーバ１０外のカニューラ２５に間接的に薬液を押し出すようにしている。なお、駆動液と薬液との間には、互いに混じらないようにするため、空気層やオイルが設けられ、駆動液と薬液とを分離している。
【００３０】
ここで、薬液リザーバ１０および駆動液部１１が一体形成されて駆動部２０に対して着脱可能であるため、薬液リザーバ１０内の薬液、駆動液リザーバ１２内の駆動液およびバッテリ１３などの消耗品を一体として容易に交換することができる。
【００３１】
なお、薬液リザーバ１０は、薬液の投与量に関する薬液投与情報であって、当該薬液リザーバに固有の薬液投与情報を入力する情報入力部３３を有し、ここでは、溜められている薬液の薬液投与情報を３ビット情報として示す３つの突起を有して組み付けられる。ここで、薬液投与情報の例としては、単位時間当たりの薬液の標準投与量（ｍｌ／ｈ）、最大投与量、薬液の有効量などがあるが、これに限らない。もちろん、情報入力部３３は、３つの突起以外にも、様々な態様が可能である。
【００３２】
薬液投与情報は、薬液の投与量を示す情報を３ビットで表しており、電極２４を介してポンプ駆動部２６に入力される。ポンプ駆動部２６は、この入力された薬液投与情報をもとにポンプ部２７を制御することによって薬液投与量を制御する。なお、薬液投与量情報には、薬液投与量に関する時間プロファイル情報を示すものであってもよい。ここで、ポンプ駆動部２６は、入力される薬液投与量情報であるビット情報に対応する具体的な薬液投与量情報を記憶しておくことが好ましい。また、上述した３ビットでは、８種類の薬液投与情報を示すものであったが、これに限らず、さらに多いビット数に対応した情報入力部と情報検出部とを持たせるようにしてもよい。また、薬液接続部３２や駆動液接続部３１の取付位置を、情報入力部３３の突起位置（ビット位置）に対応させる構成をとることによって、薬液投与情報を入力するようにしてもよい。なお、上述した情報入力部３３は、物理的な接触によって薬液投与情報を入力するようにしていたが、電気的な接触によって薬液投与情報を入力するようにしてもよいし、予め薬液リザーバ１０側に薬液投与情報を示すビット情報を記憶するメモリチップあるいはビットスイッチを設け、薬液リザーバ１０の装着時に電気的な接触をもってポンプ後方部２６がビット情報を読み出すようにしてもよい。ここで、従来の浸透圧ポンプでは薬液の変更が困難であったが、この実施の形態では、薬液の変更ができ、しかも薬種が変わった際に、新たな用量に対応することができる。そして、上述したように、薬液投与情報を備えることにより、薬液の変更を行う場合に、ヒューマンエラーによる用量設定ミスを防ぐことができる。
【００３３】
ここで、駆動液リザーバ１２の内部壁面であって、駆動液取水部２２側の内部底面および内部側面には、駆動液を吸液して駆動液取水部２２側に駆動液を供給する吸液部材５１が設けられている。
【００３４】
図５は、駆動液リザーバ１２およびポンプ部２７の構成を示す断面図である。図５において、駆動液リザーバ１２は、略円柱状の空間が形成され、上述したように駆動液取水部２２側の内部底面１２ｃおよび内部側面１２ｂに吸液部材５１が各面に取り付けられている。このように吸液部材５１は、ポンプ部２７に向けて駆動液を供給する液体供給口１２ｄから駆動液リザーバ１２の内壁（内部底面１２や内部側面１２ｂ）に沿って連続して敷設されている。すなわち、図６に示すような底部を有した円筒状の吸液部材５１が設けられている。また、内部上面１２ａは、略円形の平面が形成されている。なお、内部上面１２ａには空気孔６０が設けられている。
【００３５】
吸液部材５１は、たとえば、ガラス繊維紙、パルプ、あるいは合成繊維などのシート状の多孔質材によって実現され、柔軟性、吸液性、親水性、および保液性を有する材質であることが好ましい。もちろん、多孔質セラミックスであってもよい。吸液部材５１は、この多孔質による毛細管現象によって駆動液５０を吸液し、駆動液取水部２２に駆動液５０を導く。
【００３６】
一方、ポンプ部２７は、流路内に入口電極５３および出口電極５５に挟まれた電気浸透流材５４を有し、入口電極５３および出口電極５５には、ポンプ駆動部２６から直流電流あるいはパルス電流が印加され、駆動液５０の吐出流量が制御される。なお、入口電極５３、出口電極５５、および電気浸透流材５４は、多孔質材で形成されている。入口電極５３側の入口チャンバー５７には、駆動液取水部２２と入口電極５３とを接続する多孔質材の吸液部材５２が設けられて、駆動液５０を入口電極５３側に導いている。この吸液部材５２は、吸液部材５１と同様な多孔質材で形成され、駆動液部１１すなわち駆動液リザーバ１２が駆動部２０に装着される際に吸液部材５１に結合する。なお、駆動液取水部２２に対応する吸液部材５１，５２の露出部分は、装着前では、保護シートが貼られており、装着時に保護シートが剥がされる。また、出口電極５５側の出口チャンバー５８の出口側には、バブル隔離部材５９が設けられ、駆動液５０の通過を可能にするとともに、ガスや異物の通過を阻止するようにしている。バブル隔離部材５９は、ガラス繊維や親水性ナイロン（Ｒ）などのポリアミド系高分子材料からなる親水性を有する膜である。さらに、入口チャンバー５７および出口チャンバー５８の側面には、発生気体排出口５６ａ〜５６ｄが形成され、発生したガスのみを外部に排出している。なお、上述した空気孔６０を含め、発生気体排出口５６ａ〜５６ｄは、ＰＴＦＥなどの疎水性かつガス透過性を有する膜やシートを用いて形成してもよい。
【００３７】
このように駆動液リザーバ１２の内面に吸液部材５１を貼り付けておくことによって、たとえば図７に示すように、駆動液取水部２２が鉛直上方に位置し、駆動液５０が少ない場合であっても、駆動液５０は、吸液部材５１を流路として機能させ、確実にポンプ部２７側に供給される。すなわち、駆動液リザーバ１２がどのような使用状態に置かれても常にポンプ部２７側に駆動液５０が供給され、ポンプ部２７から駆動液５０が吐出される。なお、上面１２ａに吸液部材５１を貼り付けてもよい。また、上面１２ａに吸液部材５１を貼り付けない場合、上面１２ａの表面は、疎水性を有することが好ましい。たとえば、フッ素樹脂などをコーティングしておくことが好ましい。
【００３８】
また、駆動液取水部２２近傍の吸液部材５１は、駆動液５０の流れ方向に向かって逐次密度が高く形成され、逐次駆動液５０の伝達性を高くすることが好ましい。たとえば、図８に示すように底面１２ｃに沿って、吸液部材５１ａ→５１ｂ→５１ｃの順に順次密度が高い多孔質材で形成し、駆動液５０の伝達性を高める。なお、逐次密度を高く形成することは、毛細管現象による駆動液吸引力を低→高に並べることである。これによって、吸液部材５１内にミクロのポンプが形成され、吸液部材５１のみによって駆動液５０の吸液性および伝達性が高まる。なお、図８では、密度を段階的に配置したが、これに限らず、連続的な密度傾斜を持たせるようにしてもよい。また、図９に示すように、底面１２ｃに直交する流れ方向に、吸液部材６１ａ→６１ｂ→６１ｃを順次密度が高くなるように多層配置して、駆動液５０の伝達性を高めるようにしてもよい。
【００３９】
ところで、上述した実施の形態では、駆動液取水部２２における吸液部材５１，５２は、駆動液リザーバ１２の装着時に結合されるとしたが、この結合部分の結合を確実に行うため、図１０に示すように吸液部材５２に対応する吸液部材７２の結合部分側を凸形状にし、吸液部材５１の結合部分を弾性部材によって形成された吸液部材７３とし、吸液部材７２と吸液部材７３との結合時に、吸液部材７２の押圧によって吸液部材７３との結合を確実かつ密となるようにすることが好ましい。なお、吸液部材７３を剛性の板状部材とし、吸液部材７２の凸形状部分を弾性部材によって形成してもよい。また、吸液部材７３側を凸形状にし、吸液部材７２側を平面形状としてもよい。
【００４０】
なお、上述した実施の形態では、駆動液リザーバ１２の内部形状が円柱形状である場合について説明したが、これに限らず、内部形状が角柱形状であってもよい。この場合、たとえば、図１１に示すように上面のみを開放し、底面を有した四角柱形状を有した吸液部材８１を駆動液リザーバ内壁に貼り付けるようにする。
【００４１】
さらに、この場合、図１２および図１３（図１２の平面図）に示すように、多角柱形状の側壁面は、１つの露出する側壁面に隣接する両側の側壁面を覆う吸液部材９１ａのみとしてもよい。このような構成であっても、駆動液リザーバの使用状態がどんな状態であっても、確実に駆動液５０を供給することができる。特に、駆動液リザーバに貼付される吸液部材は、シート状で一体形成されることが好ましいが、図１２および図１３に示す吸液部材９１では、１つの長方形のシート部材を折り畳むのみで形成することができ、吸液部材の形成が容易となる。
【００４２】
また、多角柱状の駆動液リザーバである場合、駆動液取水部２２およびこの駆動液取水部２２から延在する側壁面の角部のみに吸液部材を設け、その他の側壁面を露出するようにしてもよい。たとえば、図１４に示す四角柱状の駆動液リザーバである場合、四隅の角部および底面のみに吸液部材９２ａを設けるようにしてもよい。さらに、この場合、図１５に示すように、四隅に吸液部材９３ａを設けるとともに、駆動液リザーバの露出する側壁面の断面が凸形状とすることが好ましく、各表面１１ａが疎水性であることが好ましい。
【００４３】
ここで、上述した実施の形態では、内部形状が柱状の駆動液リザーバについて説明したが、これに限らず、たとえば、駆動液取水部２２に対応する底部１０１ａを有したすり鉢状あるいは駆動液取水部２２側が凸となる錐状であってもよく、この場合、図１６に示すように、内部形状に応じた吸液部材１０１を底部１０１ａおよび側壁面に沿って形成すればよい。また、駆動液リザーバは、たまご型のように、上部も閉じた形状（錐状）であってもよく、この場合、内部側壁面全面に吸液部材を設ける。
【００４４】
また、上述した実施の形態では、駆動液リザーバの上面１２ａが平面であるとして説明したが、これに限らず、上面１０２を凸形状、あるいは錐状形状とすることが好ましい。特に、駆動液リザーバが鉛直逆さまに配置された場合であっても、駆動液５０は、凸形状の底部の角部に駆動液５０が集まり、この角部には、吸液部材５１が配置されているため、確実に駆動液５０を駆動液取水部２２側に導くことができる。なお、この上面１０２の表面は疎水性であることが好ましい。
【００４５】
さらに、上述した実施の形態では、駆動液部１１と薬液リザーバ１０とが一体形成されるものとして説明したが、これに限らず、図１８および図１９に示すように、駆動液部１１と薬液リザーバ１０とがさらに分離可能であってもよい。
【００４６】
なお、上述した実施の形態では、駆動水などの駆動液を蓄積する駆動液リザーバと駆動液を吐出する電気浸透流ポンプであるポンプ部とを例にあげて説明したが、これに限らず、駆動液リザーバに替えて薬液リザーバとポンプ部とを直接接続してポンプ部が薬液リザーバ内の薬液を直接、吐出するようにしてもよい。また、ポンプ部も電気浸透流ポンプに限らず、ペリスタポンプを用いてもよい。
【００４７】
また、上述した実施の形態では、駆動水を吸液部材を用いて液体供給開口に導く例を示した。しかし、本発明は駆動水でなく、薬液を液体供給開口に導く用途にも用いることができる。
【図面の簡単な説明】
【００４８】
【図１】この発明の実施の形態にかかる薬液リザーバを有する薬液投与装置が生体に適用された状態を示す模式図である。
【図２】図１に示した薬液投与装置の分解斜視図である。
【図３】図１に示した薬液投与装置の断面図である。
【図４】図１に示した薬液投与装置の分解断面図である。
【図５】薬液リザーバおよびポンプ部の構成を示す断面図である。
【図６】吸液部材の構成を示す斜視図である。
【図７】駆動液取水部が鉛直上部側に位置した場合における駆動液の供給状態を示す図である。
【図８】吸液部材によるミクロなポンプを実現する一例を示す模式図である。
【図９】吸液部材によるミクロなポンプを実現する他の例を示す模式図である。
【図１０】駆動液リザーバとポンプ部との吸液部材間の結合状態を示す断面図である。
【図１１】駆動液リザーバが四角柱状である場合における吸液部材の構成の一例を示す斜視図である。
【図１２】駆動液リザーバが四角柱状である場合における吸液部材の構成の他の例を示す斜視図である。
【図１３】図１２に示した吸液部材の平面図である。
【図１４】駆動液リザーバが四角柱状である場合における吸液部材の構成の他の例を示す平面図である。
【図１５】図４に示した吸液部材の配置に対する駆動液リザーバの変形例を示す平面図である。
【図１６】駆動液リザーバがすり鉢状である場合における吸液部材の構成を示す斜視図である。
【図１７】駆動液リザーバの上部壁面の変形例の構成を示す断面図である。
【図１８】図１に示した薬液投与装置の変形例の分解斜視図である。
【図１９】図１に示した薬液投与装置の変形例の断面図である。
【符号の説明】
【００４９】
１    薬液投与装置
１ａ  薬液部
１ｂ  カニューラ
２    処置対象
３    生体
１０    薬液リザーバ
１１    駆動液部
１２ｄ  液体供給口
１２    駆動液リザーバ
１３    バッテリ
２０    駆動部
２１    駆動液排出部
２２    駆動液取水部
２３    一方向弁
２３ａ  薬液受入部
２４    電極
２５    基部
２６    ポンプ駆動部
２７    ポンプ部
３３    情報入力部
４１    薬液駆動部
４３    薬液連結部
５０    駆動液
５１，５２，５１ａ〜５１ｃ，６１ａ〜６１ｃ，６２ａ，７２，７３，８１，９１，９１ａ，９２ａ，９３ａ，１０１  吸液部材
５３    入口電極
５４    電気浸透流材
５５    出口電極
５６ａ〜５６ｄ    発生気体排気口
５７    入口チャンバー
５８    出口チャンバー
５９    バブル隔離部材
６０    空気孔
Ｆ１１，Ｆ１２，Ｆ２１  流路
Ｓ    体表面
【図１】
2009273514.tif 000003
【図２】
2009273514.tif 000004
【図３】
2009273514.tif 000005
【図４】
2009273514.tif 000006
【図５】
2009273514.tif 000007
【図６】
2009273514.tif 000008
【図７】
2009273514.tif 000009
【図８】
2009273514.tif 000010
【図９】
2009273514.tif 000011
【図１０】
2009273514.tif 000012
【図１１】
2009273514.tif 000013
【図１２】
2009273514.tif 000014
【図１３】
2009273514.tif 000015
【図１４】
2009273514.tif 000016
【図１５】
2009273514.tif 000017
【図１６】
2009273514.tif 000018
【図１７】
2009273514.tif 000019
【図１８】
2009273514.tif 000020
【図１９】
2009273514.tif 000021